(57)【要約】【課題】一端側及び他端側のそれぞれに接触する複数の接続対象物を弾性変形することなく電気的に接続することの可能な電気接続用端子及びこれを用いたコネクタを提供する。【解決手段】第１の基板３００に幅方向（Ｘ方向）に摺動自在に接触する第１の接触部１１０を一端側に設けるとともに、第２の基板４００に幅方向と直交する方向（Ｙ方向）に摺動自在に接触する第２の接触部１２０を他端側に設けたので、各基板３００，４００間にＸ方向の位置ずれが生じた場合には第１の基板３００を第１の接触部１１０に接触しながらＸ方向に摺動させるとともに、各基板３００，４００間にＹ方向の位置ずれが生じた場合には第２の基板４００を第２の接触部に接触しながらＹ方向に摺動させることができ、電気接続用端子１００の塑性変形を確実に防止することができる。また、弾性変形するためのスペースが不要となるので、コネクタ本体２００を小型化することができる。【選択図】図１
2007207547.tif 000002
【特許請求の範囲】
【請求項１】
一端側を一方の接続対象物に接触させるとともに、他端側を他方の接続対象物に接触させるように形成された電気接続用端子において、
前記一方の接続対象物に幅方向に摺動自在に接触する第１の接触部を一端側に設けるとともに、
他方の接続対象物に幅方向と直交する方向に摺動自在に接触する第２の接触部を他端側に設けた
ことを特徴とする電気接続用端子。
【請求項２】
前記第１及び第２の接触部のうち少なくとも一方を二股状に形成した
ことを特徴とする請求項１記載の電気接続用端子。
【請求項３】
前記二股状部分の互いに対向する面をそれぞれの一部同士が近接するように形成した
ことを特徴とする請求項２記載の電気接続用端子。
【請求項４】
前記第１及び第２の接触部を互いに同一方向に接続対象物と着脱するように形成した
ことを特徴とする請求項１、２または３記載の電気接続用端子。
【請求項５】
請求項１、２、３または４記載の電気接続用端子を複数備え、
コネクタ本体の一端側に各電気接続用端子の第１の接触部を配置し、コネクタ本体の他端側に各電気接続用端子の第２の接触部を配置した
ことを特徴とするコネクタ。
【発明の詳細な説明】
【技術分野】
【０００１】
本発明は、例えば複数の基板を電気的に接続するために使用される電気接続用端子及びこれを用いたコネクタに関するものである。
【背景技術】
【０００２】
従来、この種のコネクタに用いられる電気接続用端子としては、一端側を一方の接続対象物に接触させるとともに、他端側を他方の接続対象物に接触させるように形成されたものが知られている（例えば特許文献１参照）。
【０００３】
この電気接続用端子は、絶縁体からなるコネクタ本体に取り付けられ、その他端側が他方の接続対象物としてのプリント基板に固定されている。また、この電気接続用端子は、所定方向に弾性変形可能に形成されており、一端側に接続された一方の接続対象物としての相手側コネクタとの間に位置ずれが生じた場合に、その位置ずれの方向に応じて弾性変形する。
【特許文献１】特開２００５−９３４２４号公報
【発明の開示】
【発明が解決しようとする課題】
【０００４】
しかしながら、この電気接続用端子では、弾性変形することによって各接続対象物を電気的に接続しているので、弾性変形による負荷が大きくなると電気接続用端子が塑性変形するおそれがあった。また、コネクタ本体には、電気接続用端子を弾性変形させるためのスペースが必要となるので、コネクタ本体の小型化を図ることができないという問題点があった。
【０００５】
本発明は前記問題点に鑑みてなされたものであり、その目的とするところは、一端側及び他端側のそれぞれに接触する複数の接続対象物を弾性変形することなく電気的に接続することの可能な電気接続用端子及びこれを用いたコネクタを提供することにある。
【課題を解決するための手段】
【０００６】
本発明の電気接続用端子は、前記目的を達成するために、一端側を一方の接続対象物に接触させるとともに、他端側を他方の接続対象物に接触させるように形成された電気接続用端子において、前記一方の接続対象物に幅方向に摺動自在に接触する第１の接触部を一端側に設けるとともに、他方の接続対象物に幅方向と直交する方向に摺動自在に接触する第２の接触部を他端側に設けている。
【０００７】
また、本発明のコネクタは、前記目的を達成するために、前記電気接続用端子を複数備え、コネクタ本体の一端側に各電気接続用端子の第１の接触部を配置し、コネクタ本体の他端側に各電気接続用端子の第２の接触部を配置している。
【０００８】
これにより、各接続対象物間に幅方向の位置ずれが生じた場合には、一方の接続対象物が第１の接触部に接触しながら幅方向に摺動するとともに、各対象物間に幅方向と直交する方向に位置ずれが生じた場合には、他方の接続対象物が第２の接触部に接触しながら幅方向と直交する方向に摺動するので、電気接続用端子の一端側及び他端側のそれぞれに接触する各接続対象物が電気接続用端子を弾性変形させることなく電気的に接続される。
【発明の効果】
【０００９】
本発明によれば、一端側及び他端側のそれぞれに接触する複数の接続対象物を弾性変形することなく電気的に接続することができるので、弾性変形に基づく電気接続用端子の塑性変形を確実に防止することができる。また、弾性変形するためのスペースが不要となるので、電気接続用端子が取り付けられるコネクタ本体を小型化することができる。
【発明を実施するための最良の形態】
【００１０】
図１乃至図５は本発明の一実施形態を示すもので、図１は電気接続用端子の斜視図、図２はコネクタの斜視図、図３はコネクタの底面図、図４はコネクタの取付例を示す図、図５は電気接続用端子の動作を示すコネクタの要部底面図である。
【００１１】
このコネクタは、導電性の金属板からなる複数の電気接続用端子１００と、絶縁性を有するコネクタ本体２００とを備え、電気接続用端子１００には、一方の接続対象物としての第１の基板３００に幅方向（Ｘ方向）に摺動自在に接触する第１の接触部１１０が幅方向（Ｘ方向）一端側に設けられており、他方の接続対象物としての第２の基板４００に幅方向（Ｘ方向）と直交する方向（Ｙ方向）に摺動自在に接触する第２の接触部１２０が幅方向（Ｘ方向）他端側に設けられている。また、電気接続用端子１００には、第１の接触部１１０と第２の接触部１２０とがそれぞれ一体に形成された本体部１３０が設けられており、本体部１３０は、第１の接触部１１０と第２の接触部１２０との間を幅方向（Ｘ方向）に延びるように形成されている。
【００１２】
第１の接触部１１０は、その先端側が下方に向かって二股状に延びるように形成されており、第１の接触部１１０には、互いに幅方向（Ｘ方向）に幅寸法Ｘ１だけ延びるように形成されるとともに前後方向（Ｙ方向）に所定の間隔をおいて対向する一対の保持部１１１と、各保持部１１１の幅方向（Ｘ方向）一端側の間に形成された側面部１１２と、各保持部１１１の下端から下方に向かって互いに近接するように延びる一対の真直部１１３と、各真直部１１３の下端に形成されるとともに互いに対向する方向（Ｙ方向）に向かって突出する一対の屈曲部１１４とが設けられている。なお、各保持部１１１のうち一方の幅方向（Ｘ方向）他端側は、本体部１３０と一体に形成されている。
【００１３】
第２の接触部１２０は、その先端側が下方に向かって二股状に延びるように形成されており、第２の接触部１２０には、互いに前後方向（Ｙ方向）に幅寸法Ｙ１だけ延びるように形成されるとともに幅方向（Ｘ方向）に所定の間隔をおいて対向する一対の保持部１２１と、各保持部１２１の前後方向（Ｙ方向）一端側の間に形成された側面部１２２と、各保持部１２１の下端から下方に向かって互いに近接するように延びる一対の真直部１２３と、各真直部１２３の下端に形成されるとともに互いに対向する方向（Ｘ方向）に向かって突出する一対の屈曲部１２４とが設けられている。なお、側面部１２２の幅方向（Ｘ方向）一端側は、本体部１３０と一体に形成されている。
【００１４】
コネクタ本体２００は、前後方向（Ｙ方向）に延びる箱型形状をなしており、その上面部２１０には、底面部２２０まで貫通する複数の端子孔２３０が前後方向（Ｙ方向）に所定間隔をおいて設けられている。各端子孔２３０内の幅方向（Ｘ方向）一端側には、電気接続用端子１００の第１の接触部１１０を保持する第１の保持部２３１が設けられており、各端子孔２３０内の幅方向（Ｘ方向）他端側には、電気接続用端子１００の第２の接触部１２０を保持する第２の保持部２３２が設けられている。また、第１の保持部２３１と第２の保持部２３２との間には、電気接続用端子１００の本体部１３０を保持する第３の保持部２３３が設けられている。
【００１５】
ここで、電気接続用端子１００をコネクタ本体２００に取り付ける際には、図２に示すように、端子孔２３０に電気接続用端子１００の下端側を上方から圧入する。このとき、第１の接触部１１０の各保持部１１１及び側面部１１２が第１の保持部２３１に保持されるとともに、第２の接触部１２０の各保持部１２１及び側面部１２２が第２の保持部２３２に保持され、本体部１３０が第３の保持部２３３に保持されることにより、電気接続用端子１００がコネクタ本体２００に保持される。
【００１６】
また、第１の基板３００は、上面に導電パターン（図示省略）が形成されたプリント基板であり、その上面の幅方向（Ｘ方向）他端側には、それぞれ導電パターンに接続されるとともに上方（Ｚ方向）に延びるように形成された複数の導電性のピン３１０が前後方向（Ｙ方向）に所定間隔をおいて設けられている。なお、第１の基板３００の各ピン３１０の短手方向の幅寸法は、少なくとも各屈曲部１１４間の間隔と等しく形成されている。
【００１７】
また、第２の基板４００は、第１の基板と同様に形成され、その上面の幅方向（Ｘ方向）一端側には、上方（Ｚ方向）に延びるように形成された複数の導電性のピン４１０が前後方向（Ｙ方向）に所定間隔をおいて設けられている。なお、第２の基板４００の各ピン４１０の短手方向の幅寸法は、少なくとも各屈曲部１２４間の間隔と等しく形成されている。
【００１８】
以上のように構成された電気接続用端子１００は、複数の基板間を電気的に接続するために用いられる。図４に示すように、複数の電気接続用端子１００が取り付けられたコネクタ本体２００を各基板３００，４００に接続する場合には、幅方向（Ｘ方向）に並べるように配置された各基板３００，４００に対してコネクタ本体２００の底面部２２０を上方から押圧して、各電気接続用端子１００の第１の接触部１１０の各屈曲部１１４間にそれぞれ対応する第１の基板３００の各ピン３１０を挿通させるとともに、第２の接触部１２０の各屈曲部１２４間にそれぞれ対応する第２の基板４００の各ピン４１０を挿通させる。これにより、第１の基板３００の各ピン３１０と第２の基板４００の各ピン４１０は、それぞれ第１の接触部１１０の各屈曲部１１４と第２の接触部１２０の各屈曲部１２４に圧接される。なお、コネクタ本体２００を上方に移動させることにより、第１の接触部１１０及び第２の接触部１２０を各基板３００，４００から取外すことができる。
【００１９】
ここで、各基板３００，４００間に幅方向（Ｘ方向）の位置ずれが生じた場合には、図５に示すように、第１の基板３００の各ピン３１０が第１の接触部１１０の各屈曲部１１４に接触しながら幅方向（Ｘ方向）に摺動する。また、各基板３００，４００間に前後方向（Ｙ方向）の位置ずれが生じた場合には、第２の基板４００の各ピン４１０が第２の接触部１２０の各屈曲部１２４に接触しながら前後方向（Ｙ方向）に摺動する。これにより、各電気接続用端子１００は、弾性変形することなく第１の基板３００の各ピン３１０を幅方向（Ｘ方向）にＸ１、即ち第１の接触部１１０の幅方向（Ｘ方向）の幅寸法だけ摺動させることができるとともに、第２の基板４００の各ピン４１０を前後方向（Ｙ方向）にＹ１、即ち第２の接触部１２０の前後方向（Ｙ方向）の幅寸法だけ摺動させることができる。
【００２０】
このように、本実施形態の電気接続用端子１００によれば、第１の基板３００に幅方向（Ｘ方向）に摺動自在に接触する第１の接触部１１０を一端側に設けるとともに、第２の基板４００に幅方向と直交する方向（Ｙ方向）に摺動自在に接触する第２の接触部１２０を他端側に設けたので、各基板３００，４００間に幅方向（Ｘ方向）の位置ずれが生じた場合には、第１の基板３００を第１の接触部１１０に接触しながら幅方向（Ｘ方向）に摺動させるとともに、各基板３００，４００間に幅方向と直交する方向（Ｙ方向）の位置ずれが生じた場合には、第２の基板４００を第２の接触部に接触しながら前後方向（Ｙ方向）に摺動させることができ、電気接続用端子１００の塑性変形を確実に防止することができる。さらに、電気接続用端子１００が弾性変形するためのスペースが不要となるので、コネクタ本体２００を小型化することができる。
【００２１】
また、第１の接触部１１０及び第２の接触部１２０のうち少なくとも一方を二股状に形成したので、二股の間に挿通された第１の基板３００の各ピン３１０または第２の基板４００の各ピン４１０を摺動方向（Ｘ方向またはＹ方向）に確実に案内することができる。
【００２２】
さらに、二股状部分の互いに対向する面において一対の屈曲部１１４と一対の屈曲部１２４のそれぞれを互いに近接するように形成したので、第１の接触部１１０及び第２の接触部１２０を各基板３００，４００に確実に圧接させることができ、各基板３００，４００間の電気的接続性をより向上させることができる。
【００２３】
また、第１の接触部１１０及び第２の接触部１２０を互いに同一方向（Ｚ方向）に各基板３００，４００と着脱するように形成したので、コネクタ本体２００を上下方向（Ｚ方向）に移動させることにより、第１の接触部１１０及び第２の接触部１２０と各基板３００，４００とを容易に着脱させることができ、コネクタ本体２００と各基板３００，４００との着脱作業を短縮することができる。
【００２４】
なお、前記実施形態では、各基板３００，４００を幅方向（Ｘ方向）または前後方向（Ｙ方向）に摺動させるように形成したものを示したが、各基板３００，４００を幅方向（Ｘ方向）または上下方向（Ｚ方向）に摺動させるように形成してもよい。
【図面の簡単な説明】
【００２５】
【図１】本発明の一実施形態による電気接続用端子の斜視図
【図２】コネクタの斜視図
【図３】コネクタの底面図
【図４】コネクタの取付例を示す図
【図５】電気接続用端子の動作を示すコネクタの要部底面図
【符号の説明】
【００２６】
１００…電気接続用端子、１１０…第１の接触部、１１４…一対の屈曲部、１２０…第２の接触部、１２４…一対の屈曲部、３００…第１の基板、４００…第２の基板。
【図１】
2007207547.tif 000003
【図２】
2007207547.tif 000004
【図３】
2007207547.tif 000005
【図４】
2007207547.tif 000006
【図５】
2007207547.tif 000007